Podtech/llm-jp-corpus-v4-ja_patent huggingface dataset:
(57)【要約】【課題】掃除機での掃除を快適にするために、掃除機に常設できるブラシノズルを提供する。【解決手段】掃除機の、任意の管中継部に継ぎ手として中継可能な中継パイプ（３）と、中継パイプ（３）の外側を覆うように設けられた蛇腹（５）と、蛇腹（５）の先端開口部に設けられたブラシ（２）より構成される、掃除機の蛇腹式ブラシノズル。【選択図】　図１
2004081779.tif 000002
【特許請求の範囲】
【請求項１】
掃除機の、任意の管中継部に継ぎ手として中継可能な中継パイプ（３）と、中継パイプ（３）の外側を覆うように設けられた蛇腹（５）と、蛇腹（５）の先端開口部に設けられたブラシ（２）より構成される、掃除機の蛇腹式ブラシノズル。
【請求項２】
前記蛇腹（５）を縮めた状態にした際に、前記中継パイプ先端が前記ブラシより前方に突出するようになっていることを特長とする、請求項１記載の掃除機の蛇腹式ブラシノズル。
【発明の詳細な説明】
【０００１】
【発明の属する技術分野】
この発明は、掃除機で掃除をする際に、床用ノズル（１０）を取り外すだけでブラシノズルが角度も自在にすぐに使え、また床用ノズル（１０）を戻したり、先細ノズル（１５）など、他のノズルを差し込む際にも、ブラシを傷めることなく差し込むことを可能にした、掃除機の蛇腹式ブラシノズルである。
【０００２】
【従来の技術】
従来のブラシノズルは、床用ノズルを主に使っている掃除機で使う場合、ブラシノズルを使うために床用ノズルを取り外して、ブラシノズルを差し込み、使用後は再び床用ノズルに戻したりしていた。
【０００３】
【発明が解決しようとする課題】
これには次のような欠点があった。
イ．　掃除の途中で網戸や棚などのちょっとした所のホコリが目についたとき、いちいち床用ノズル（１０）とブラシノズルを付け替えしなくてはならなかった。
ロ．　また、掃除中にブラシノズルを持ち歩くことは困難であり、また使いたい時に見つからないこともあった。
ハ．　従来のブラシノズルでは、ブラシの角度が固定されている場合が多く、使いづらい事もあった。
ニ．　掃除機の機能として、同様な場所にブラシノズルがついている物があるが、ブラシの植毛がＣ状なため、欠落したブラシ部分を補うために、手の動かし方に気をつかった。
ホ．　掃除機の機能としてついているものはあるが、元々そういった機能の無い掃除機に後付けするものは無かった。
本発明は、以上の欠点を解決するために発明されたものである。
【０００４】
【課題を解決するための手段】
掃除機の、任意の管中継部に継ぎ手として中継可能な中継パイプ（３）と、中継パイプ（３）の外側を覆うように設けられた蛇腹（５）と、蛇腹（５）の先端開口部に設けられたブラシ（２）より構成される、掃除機の蛇腹式ブラシノズル。
【０００５】
【発明の実施の形態】
以下、本発明の実施の形態について説明をする。
本発明はおおまかに分けると、中継パイプ部分、蛇腹部分、ブラシ部分の３つで構成されている。これについて以下、図３、４を参照しながら説明する。
（イ）中継パイプ部分について説明する。
中継パイプ（３）は、主に床用ノズルに接続される先端側は、外径は円筒形であり、内径は床用ノズル差込口（６）から中継パイプ（３）の中間に向かって細くなるようテーパー状になり、床用ノズル接続部（８）を形成している。
また、掃除機（１３）本体に向かう他端側は、前記先端側の円筒形な外径は中継パイプ（３）の中間地点あたりまでとし、そこから掃除機ホース差込口（７）に向けて少々細くなるようにテーパー状になり、掃除機ホース接続部（９）を形成している。
（ロ）蛇腹部分について説明する。
蛇腹（５）は中継パイプ（３）の前方外周を覆うように、蛇腹（５）の後端が中継パイプ（３）の中間地点あたりに固定されており、蛇腹（５）の前端は先端に向かい伸縮するように設けられている。
また、蛇腹（５）を縮めた状態では、ブラシ（２）の先端よりも、床用ノズル差込口（６）が前方に突出するように設ける。
（ハ）ブラシ部分について説明する。
蛇腹（５）の、前記先端開口部に短円筒状のブラシ台（４）を設け、該ブラシ（２）を円周形に植毛する。
本発明は以上の構成よりなっている。
本発明は、図８に示すように本体（１）の掃除機ホース差込口（７）を掃除機（１３）のスイッチ（１２）近くの掃除機ホース（１１）に差し込み、床用ノズル（１０）を本体（１）の床用ノズル差込口（６）に差し込んで設置する。
この状態では、通常通りに床用ノズル（１０）での掃除が可能である。床掃除の途中にブラシノズルを使いたい場合、図５のように床用ノズル（１０）を取り外し、蛇腹（５）部分を伸ばして掃除機（１３）を使う。
また、図６のように蛇腹（５）を曲げることにより、ブラシ（２）の角度を変えることが可能である。
さらに、図７に示すように、先細ノズル（１５）など、他のノズルをつけることも可能である。
再び床用ノズル（１０）を使用する場合は、伸ばした蛇腹（５）を縮めて床用ノズル差込口（６）に床用ノズル（１０）差し込めばよい。
【０００６】
【発明の効果】
本発明を使用することによって、床用ノズル（１０）での掃除の最中に、棚や網戸などのホコリを見つけたとき、床用ノズル（１０）を取り外すだけですぐにブラシノズルを使う事ができる。また、蛇腹（５）を伸ばしたり、曲げたりすることでブラシ（２）の角度を変えることが出来、壁（１４）などの垂直な面も掃除がしやすくなる。
蛇腹（５）を縮めた状態の時に、床用ノズル差込口（６）がブラシ（２）の先端より突出していることで、床用ノズル（１０）を戻すときや、先細ノズル（１５）など他のノズルを差し込む場合にも、ブラシ（２）を誤って一緒に差し込んだりして傷めることが無い。
ブラシノズルがいつも掃除機（１３）に設置されているので、使いたいときにわざわざ持ってきたり、探すことがなくなる。
【図面の簡単な説明】
【図１】本発明の斜視図
【図２】本発明の斜視図
【図３】本発明の設置状態の断面図
【図４】本発明の使用状態の断面図
【図５】本発明の使用状態の斜視図
【図６】本発明の使用状態の側面図
【図７】本発明の使用状態の斜視図
【図８】本発明の設置状態の斜視図
【符号の説明】
１　本体
２　ブラシ
３　中継パイプ
４　ブラシ台
５　蛇腹
６　床用ノズル差込口
７　掃除機ホース差込口
８　床用ノズル接続部
９　掃除機ホース接続部
１０　床用ノズル
１１　掃除機ホース
１２　スイッチ
１３　掃除機
１４　壁
１５　先細ノズル
【図１】
2004081779.tif 000003
【図２】
2004081779.tif 000004
【図３】
2004081779.tif 000005
【図４】
2004081779.tif 000006
【図５】
2004081779.tif 000007
【図６】
2004081779.tif 000008
【図７】
2004081779.tif 000009
【図８】
2004081779.tif 000010
(57)【要約】【課題】餃子の皮を手作りする際に、容易に丸く薄く伸ばすことのできる麺棒を提供する。【解決手段】複数の丸棒（１）を隣接させた状態で、各々の丸棒が回転可能となるように丸棒の両側面に連結具（３）を取り付けた、餃子用麺棒。【選択図】　図３
2004081778.tif 000002
【特許請求の範囲】
【請求項１】
複数の丸棒（１）を隣接させた状態で、各々の丸棒が回転可能となるように丸棒の両側面（２）に連結具（３）を取り付けた、餃子用麺棒。
【発明の詳細な説明】
【０００１】
【発明の属する技術分野】
この発明は、餃子の皮を手作りする際に、容易に丸く薄く伸ばすために発明された麺棒である。
【０００２】
【従来の技術】
従来の餃子用の麺棒は、直径が３ｃｍから４ｃｍ程の丸棒一本を使用していた。
【０００３】
【発明が解決しようとする課題】
これには次のような欠点があった。
太い一本の麺棒では、最初に丸くしたタネ（５）を麺台（６）の上に置き、タネの真ん中に麺棒（７）を置いて押すと、図４に示すように麺棒（７）で押された部分の上下にタネのふくらみ（８）が出来てしまい、タネの量が多い部分が伸ばされる方向にどんどん伸びてしまい、丸い形がくずれてしまっていた。
また図５に示すように、打ち粉をしていてもタネ（５）が麺棒（７）に張り付いてしまい、麺台（６）の上に平らに伸ばすことが難しかった。
本発明は、以上の欠点を解決するために発明されたものである。
【０００４】
【課題を解決するための手段】
複数の丸棒（１）を隣接させた状態で、各々の丸棒が回転可能となるように丸棒の両側面に連結具（３）を取り付けた、餃子用麺棒。
【０００５】
【発明の実施の形態】
以下、本発明の実施の形態について説明をする。
（イ）　両側面（２）を揃えて複数本の丸棒（１）を隣接するように並べる。
（ロ）　連結具（３）は、両側面（２）を隣接して並べた複数本の丸棒（１）の、側面（２）の合計の長さからなる長尺状であり、丸棒（１）の直径よりも長くならない高さの薄い板などに、側面（２）のほぼ直径の間隔で、丸棒（１）の数だけビス（４）の径より少し大きくなるように穴（９）を空
ける。
（ハ）　図３に示すように、隣接した複数本の丸棒（１）の両側面（２）に、連結具（３）の穴（９）を通し、ビス（４）にて側面（２）の中心に留める
。
本発明は以上の構成よりなっている。
図８の手順ａ、ｂ、ｃ、ｄに示すように、本発明は餃子の皮を作る際に、こねて一枚分の量を丸めたタネ（５）を麺台（６）の上に置き、タネ（５）の上からかるく押し潰す。そのあと連結された各丸棒（１）が同時に回転可能となった本発明品で通常の麺棒同様に上下に転がし伸ばしていく。
なお、本事例ではビス（４）により留めているが、これに限定されることなく軸などが回転可能となるように固定させる各種手段が可能である。
【０００６】
【発明の効果】
図６に示すように、本発明を使用することによって、最初に丸めたタネ（５）を押しつぶすときに、通常タネのふくらみ（８）となる部分は複数の丸棒（１）の隙間に入り、ふくらみが分散され、次に図７に示すように、その小さな山（１０）となったふくらみを各々回転可能となった丸棒（１）が均等に荷重されながら伸ばしていくので、丸い形が崩れにくく、また連結された間の部分は丸棒（１）にタネ（５）が張り付くことなく、皮を薄く伸ばすことができる。
【図面の簡単な説明】
【図１】本発明の斜視図
【図２】本発明の上面図
【図３】本発明の構成を示す斜視図
【図４】従来品の使用状態の側面図
【図５】従来品の使用状態の側面図
【図６】本発明の使用状態の側面図
【図７】本発明の使用状態の側面図
【図８】本発明の使用手順の上面図
【符号の説明】
１　丸棒
２　側面
３　連結具
４　ビス
５　タネ
６　麺台
７　麺棒
８　タネのふくらみ
９　穴
１０　山
【図１】
2004081778.tif 000003
【図２】
2004081778.tif 000004
【図３】
2004081778.tif 000005
【図４】
2004081778.tif 000006
【図５】
2004081778.tif 000007
【図６】
2004081778.tif 000008
【図７】
2004081778.tif 000009
【図８】
2004081778.tif 000010
(57)【要約】　　　（修正有）【課題】足の関節の痛い人や、曲った足を保護する為の健康保護機を提供する。【解決手段】プラスチックを主として、ヒザの所を丸型丁板６にして、上下４，５に分けて足と同じく曲げる事が出来るようにしてプラスチックの上下の先端部分にピン１を取付ける、其のピンにゴム２を掛ける、ゴムはバネとして使用するが人に寄りゴムの本数を調節する、プラスチックは外側をサポウタ８で固定して足に付ける、サポウタのヒザの後の部分を穴空き７にして、足を曲げやすくする。【選択図】図１
2004081780.tif 000002
【特許請求の範囲】
【請求項１】
健康保護機は足の間接の痛い人と、曲った足を保護する為で有る、外側に足が曲がると、内側の軟骨が刷りへる、其れを保護する事で、痛みが柔らかく成るし、足の外曲がりを止める効果も有る、ゴムを張る事で足が真っすぐに成る、内側のプラスチックは、其のゴムを張る為で有る、丸型丁板にしたのはゴムの収縮に耐える為で有る、プラスチックは、足の外えの曲がりを止める事と、ゴムを張る為で有る、其のゴムを自分に合う本数をピンに掛けて使用する。
【請求項２】
本機はプラスチックと、サポウタと組合せで有る、プラスチックの上に被せて固定する、ヒザの後の方を大きめに穴を開けて挟まるのを防ぐ、プラスチックの内側に刷れ止めに薄いカセン系などを用いる、サポウタを前から下にして後から被せる、足の小さい所も大きい所も、足に合わせてロック出来る用にする。
【発明の詳細な説明】
【０００１】
【発明の属する技術分野】
本発明は、足が外に曲がったのを真直ぐにすれば、軟骨が正常に戻り痛みが無くなる、其の為に弾力の有る、プラスチックを使用して、其れに加えてゴムのバネを使用して、ゴムのバネを張る事で足が真直ぐに成る、まだ物足りない人はカンセツとコムの間にタヲルなどを挟む事で効果が上がる。
【０００２】
【発明が解決しようとする課題】
本発明は、足の関節が痛くて皆さんも大変困って居る、足を長年の間に無理な仕事等をして居る内に、足が段々外に曲って内側の軟骨が刷れて痛いと気が付いた時にはもう外に曲って居る、其れは大変に困って居る。
【０００３】
【課題を解決するための手段】
本発明は、健康保護機で有る、足の外曲がりを保護する為に、材質はプラスチックを使用して、ヒザの横の部分は丸型丁板にして、上下の方にゴムを掛けるピンを設けて掛ける、ゴムを、引くバネにして使用する、足を真直ぐにする為に、ゴムと丸型丁板の間にタヲル等を挟めて調節する、プラスチックにサポウタを固定して足にセットする、足の後の方に大きめの穴を開ける、座る時足の皮膚とサポウタが挟まるから。
【０００４】
【発明の実施態様】
以下、本発明の一実施例を図を参照して説明する。
１．プラスチックの部分に取付けたピンで有る、其のピンにゴムを掛けて引っぱる。
２．ゴムのバネで有る、ゴムは安全で有る、引く力が弱い時、ゴムの本数を増やす。
３．ヒモで有る、ひざを曲げた時、ゴムがよそえ行くので、ヒモで縛る為で有る。
４．プラスチックで有る、保護機の上の部分で有る。
５．プラスチックで有る、保護機の下の部分で有る。
６．丸型丁板で有る、（４〜５）を継ぐ丸型丁板で有る。
７．穴空きで有る、サポウタの後側の部分で足の挟まるのを保護する為で有る。８．サポウタで有る、左右に伸びる材質を使用する、足の太さが大小で合っても、前のサポウタに、後のサポウタを被せてロックする。
９．ロックで有る、前側のサポウタに後側のサポウタを被せてロックする。
１０．足のくるぶしで有る。
【発明の効果】
請求項１記載の本発明は、足の関節の痛みと軟骨の刷り減りを健康保護機は、保護をしながら足の関節の痛みと、足の曲がりの内側の軟骨の刷り減りを、なをしながら足を段々に真直ぐにする事で、軟骨の刷り減りが無くなる、足の痛みも無くなる。
【図面の簡単な説明】
【図１】本発明の一実施例を示す、プラスチック使用と、サポウタ取付けと、ゴム回りの使用部分で有る。
【図１】
2004081780.tif 000003
(57)【要約】【課題】胴部に内容積を増減できる蛇腹などの伸縮部材を設けた注水式蛇腹ダンベルに関するものである。【解決手段】胴部（３）に内容積を増減できる蛇腹などの伸縮部材（４）を設けた第１の容器（１）と第２の容器（２）を、筒形状の取っ手（７）の両端に内部連通するように設けて、第１の容器（１）の底部に注水口（５）を設けて、注水口（５）には注水口を塞ぐキャップ（６）を取り外し自在に付設する。【選択図】　図１
2004081771.tif 000002
【特許請求の範囲】
【請求項１】
胴部（３）に内容積を増減できる蛇腹などの伸縮部材（４）を設けた第１の容器（１）と第２の容器（２）を、筒形状の取っ手（７）の両端に内部連通するように設けて、第１の容器（１）の底部に注水口（５）を設けて、注水口（５）には注水口を塞ぐキャップ（６）を取り外し自在に付設した注水式蛇腹ダンベル
【請求項２】
一体成型された請求項１記載の注水式蛇腹ダンベル
【請求項３】
注水口（５）を有して、内部が空洞の取っ手（８）の両端を、注水口（５）を有して、外周壁（９）と内周壁（１０）に内容積を増減できる蛇腹などの伸縮部材（４）を設けた中空容器（１１）の中空部（１２）に嵌合して、注水口（５）には注水口（５）を塞ぐキャップ（６）を取り外し自在に付設した注水式蛇腹ダンベル
【発明の詳細な説明】
【０００１】
【発明の属する技術分野】
胴部に内容積を増減できる蛇腹などの伸縮部材を設けた注水式蛇腹ダンベルに関するものである。
【０００２】
【従来の技術】
従来のダンベルには金属製と注水式合成樹脂製の製品があった。
【０００３】
【発明が解決しようとする課題】
従来のダンベルは内容積を増減させてから、注水する水の量で重量を調節することが出来なかった。
また、内容積を減らしてから、持ち運んだり、収納したりすることも出来なかった。
【０００４】
【課題を解決するための手段】
請求項１の発明においては、胴部（３）に内容積を増減できる蛇腹などの伸縮部材（４）を設けた第１の容器（１）と第２の容器（２）を、筒形状の取っ手（７）の両端に内部連通するように設けて、第１の容器（１）の底部に注水口（５）を設けて、注水口（５）には注水口を塞ぐキャップ（６）を取り外し自在に付設する。本発明は、以上の構成からなる注水式蛇腹ダンベルである。
請求項３の発明においては、注水口（５）を有して、内部が空洞の取っ手（８）の両端を、注水口（５）を有して、外周壁（９）と内周壁（１０）に内容積を増減できる蛇腹などの伸縮部材（４）を設けた中空容器（１１）の中空部（１２）に嵌合して、注水口（５）には注水口（５）を塞ぐキャップ（６）を取り外し自在に付設する。本発明は、以上の構成からなる注水式蛇腹ダンベルである。
【０００５】
【発明の実施の形態】
発明の実施の形態を実施例にもとづき図面を参照して説明する。
図１において、胴部（３）に内容積を増減できる蛇腹などの伸縮部材（４）を設けた第１の容器（１）と第２の容器（２）を、筒形状の取っ手（７）の両端に内部連通するように設けて、第１の容器（１）の底部に注水口（５）を設けて、注水口（５）には注水口を塞ぐキャップ（６）を取り外し自在に付設する。
本発明は以上のような構造で、これを使用するときは、必要な重さに応じて蛇腹などの伸縮部材（４）を伸ばして内容積を確保して、注水口（５）から注水して使用する。
使用しない時は、注水口（５）から排水して蛇腹などの伸縮部材（４）を縮めることによって、内容積が小さくなり、持ち運びや収納に便利である。
図２は中空容器（１１）の中空部（１２）を内部が空洞の取っ手（８）の両端に嵌合していない状態を示すもので、注水口（５）を有して、内部が空洞の取っ手（８）の両端を、注水口（５）を有して、外周壁（９）と内周壁（１０）に内容積を増減できる蛇腹などの伸縮部材（４）を設けた中空容器（１１）の中空部（１２）に嵌合して、注水口（５）には注水口（５）を塞ぐキャップ（６）を取り外し自在に付設する。
本発明は以上のような構造で、これを使用するときは、必要な重さに応じて中空容器（１１）の外周壁（９）と内周壁（１０）に設けた蛇腹などの伸縮部材（４）を伸ばして内容積を確保して、注水口（５）から注水して、内部が空洞の取っ手（８）にも注水口（５）から注水して、注水された内部が空洞の取っ手（８）を注水された中空容器（１１）の中空部（１２）に嵌合して使用する。
使用しない時は、注水された内部が空洞の取っ手（８）と注水された中空容器（１１）を外して、注水された内部が空洞の取っ手（８）と注水された中空容器（１１）の水を注水口（５）から排水して、中空容器（１１）の蛇腹などの伸縮部材（４）を縮めることによって、内容積が小さくなり、持ち運びや収納に便利である。
【０００６】
【発明の効果】
胴部（３）の蛇腹などの伸縮部材（４）によって、ダンベルの内容積を増減させてから、注水する水の量で重量を自由に調節することが出来るようになった。また、胴部（３）の蛇腹などの伸縮部材（４）によって、ダンベルの内容積を減らしてから、持ち運んだり、収納したりすることも出来るようになった。
【図面の簡単な説明】
【図１】本発明の斜視図
【図２】中空容器の中空部を内部が空洞の取っ手の両端に嵌合していない状態を示す図
【符号の説明】
１　第１の容器
２　第２の容器
３　胴部
４　蛇腹などの伸縮部材
５　注水口
６　注水口を塞ぐキャップ
７　筒形状の取っ手
８　内部が空洞の取っ手
９　外周壁
１０　内周壁
１１　中空容器
１２　中空部
【図１】
2004081771.tif 000003
【図２】
2004081771.tif 000004
(57)【要約】【課題】2004081752.tif 000045【解決手段】母管線ストップバルブ（圖１０８）の前端出水口に接續する子管線後端の入口（圖2004081752.tif 000046端（圖１１０）と噴嘴（ノーズル）圖１１１を取り付ける。【選択図】　圖１
2004081752.tif 000002
【特許請求の範囲】
【請求項１】
母子管線銜接法は，兩管線の管徑大小の相異甚しく，それゆえ鑽孔法を應用して，水流順調と控制をする裝置。
【請求項２】
2004081752.tif 000042
【請求項３】
子管線の設計はステンデスの材質、長さ５０ｃｍ，外徑１２．７ｍ／ｍ
2004081752.tif 000043
【請求項４】
子管線回轉裝置（圖１０９〜１１１）は，一般の各種姿勢に應じて便利に使用できる裝置。
【請求項５】
2004081752.tif 000044
【発明の詳細な説明】
【０００１】
2004081752.tif 000003
【０００２】
2004081752.tif 000004
2004081752.tif 000005
【０００３】
【発明が解決しようとする課題】
2004081752.tif 000006
【０００４】
【課題を解決するための手段】
2004081752.tif 000007
【０００５】
【発明の實施の形態】
2004081752.tif 000008
2004081752.tif 000009
の一人が長期に渡つて便秘で惱んで解決の方法がなぃと困つてぃる。その時本人は大勢の前で便秘解決法の良策を獻じた。
2004081752.tif 000010
【０００６】
【實施例】
2004081752.tif 000011
水壓の時は使用水の（別方）入口（圖一、二、三、２）から少し水を排出して減壓をします。
【０００７】
2004081752.tif 000012
2004081752.tif 000013
【０００８】
2004081752.tif 000014
【０００９】
子管線の後端と母管線のッギ（圖一、二、三、四、五１０９）母子管線の寸法は
2004081752.tif 000015
【００１０】
2004081752.tif 000016
【００１１】
2004081752.tif 000017
【００１２】
2004081752.tif 000018
詳細な使用方法と順次は　下逑の如し。
先に母子管線（圖一、二、三、五、１０５〜１１１）を地面の高さに下してから，供水
2004081752.tif 000019
ればこゝの水壓力で塗藥できる。
【００１３】
母管線と子管線のッギ目（圖一、二、三、四、五１０９）から噴水口（圖一、二、
2004081752.tif 000020
【００１４】
2004081752.tif 000021
2004081752.tif 000022
【００１５】
【発明の效果】
2004081752.tif 000023
【００１６】
【其の他の事項】
2004081752.tif 000024
【００１７】
2004081752.tif 000025
の慈悲と矜持を発輝し，詳細且正確の御審査を御願ひします。
【００１８】
本人は，大正十二年に生れ，昭和十九年三月十日東京の實業學校を卒業し，同
2004081752.tif 000026
【図面の簡単な説明】
【図１】2004081752.tif 000027
【図２】2004081752.tif 000028
【図３】2004081752.tif 000029
【図４】2004081752.tif 000030
【図５】2004081752.tif 000031
【符号の説明】
（１）〜（７）は供水系統。
2004081752.tif 000032
（２）處理後の淨水入口。（減水壓用排水口に利用できる）
2004081752.tif 000033
（４）淨水入口のストップバルブ。
2004081752.tif 000034
（１１）バッキング。（フタの水漏水防止）
（１２）フタ。
2004081752.tif 000035
（１００）〜（１１１）出水系統。
2004081752.tif 000036
（１０３）出水口のストップバルブ。
2004081752.tif 000037
（１０５）ッギ目。
（１０６）軟管線（母管線）。
（１０７）ッギ目。
（１０８）出水口のストップバルブ。
（１０９）母子管線のッギ目。
（１１０）活動性の螺旋ッギ目。
（１１１）噴嘴（ノーズル）。
（２００〜２０３）塗藥系統。
2004081752.tif 000038
〔図４〕
2004081752.tif 000039
（ａ）子管線の擴大部分，子管線と母管線のッギ目の重點は，強く堅固する裝置。目的は兩管線銜接部分の搖晃減小の裝置。
（ｂ）６箇小穴鑽孔は，水流が順調の爲に特別設計した裝置。
（ｃ）パッキングの作用は，水漏を防ぐ。
2004081752.tif 000040
〔図５〕
2004081752.tif 000041
【図１】
2004081752.tif 000047
【図２】
2004081752.tif 000048
【図３】
2004081752.tif 000049
【図４】
2004081752.tif 000050
【図５】
2004081752.tif 000051
(57)【要約】【課題】本発明は写真やポスター等のパネルにおいて、様々な厚みのパネルにも対応でき、簡単に固定できるフレームに関するものである。【解決手段】フレーム基材となるシート状物に粘着加工し、さらにビクヌキとスジ押し加工し、パネルに巻きつけるように取り付ける。フレーム基材が柔らかい場合はスジ押し加工は不要である。そフレームをパネルに巻きつけるように取り付けるので、様々なパネル厚さに対応でき、かつその形状は直線だけでなく、曲線や波型等の意匠性を持たせた形状にすることが可能である。また、フレームは粘着加工されているため、固定のためのビスやフックが不要である。【選択図】　　図２
2004081724.tif 000002
【特許請求の範囲】
【請求項１】
洋紙、和紙、加工紙、織物、プラスチックフィルム、ウールペーパー等の基材に粘着加工がされたシート状物を、ビクヌキまたはプレスヌキし、さらにスジ押し加工をしたパネル用フレーム
【発明の詳細な説明】
【０００１】
【発明の属する技術分野】
本発明は、パネル周囲をおおうフレームに関する。
【０００２】
【従来の技術】
従来は、コ型に押し出し成形した硬質プラスチック、アルミフレームやスチールフレーム、または板紙を曲げ加工しコ型に加工したフレームを特殊な道具を用いてカットしてパネルにはめ込んでいた。
【０００３】
【発明が解決しようとする課題】
しかしながら、従来のパネル用フレームは一定のコ型に押し出し成型品やあらかじめ折り曲げ加工されるため、パネルの厚みの変化に後で対応することができなかった。また従来の硬質プラスチック、アルミフレーム、スチールフレーム、板紙フレームでは、曲線や、柔らかな風合いを出すことができなかった
【０００４】
【課題を解決するための手段】
本発明の第一の要点は、粘着加工がされたシート状物を、図１のような形状にビクヌキまたはプレスヌキし、さらに多数本のスジ押し加工する点にある。このシート状物を後でフレームに巻くように貼り付けるためどんな厚みのパネルに対応できるフレームとなった。
【０００５】
本発明の第二の要点は、粘着加工されたシート状物に、洋紙、和紙、加工紙、織物、フィルム、ウールペーパー等を用いる点にある。ビクヌキやプレスヌキを行うために、フレームのコバ面は直線でも曲線でもよく、図３のように、コバ面を波型、三角型、楕円形等の形状が可能となった。さらに、それらの基材によってフレームに柔らかな風合いを持たせることが可能となった点にある。シート状物が柔らかい場合は、スジ押し加工は不要である。
【０００６】
【発明の実施の形態】
本発明の実施の形態を実施例を図に基づいて説明する。
実施例１　あらかじめ厚手の和紙の裏に粘着加工を行った。次に図１のような型になるようにヌキ型を用いてプレスヌキを行った。次に多数本のスジ押し加工行った。そのシート状物をパネルの４辺に貼り付け図２のパネルフレームを得た。
【０００７】
実施例２　あらかじめ木綿織物布の裏に粘着加工を行った。次に図３のような型になるようにヌキ型を用いてプレスヌキを行った。そのシート状物をパネルの４辺に貼り付け図４のフレームコバ面が波型でかつ風合いが自然で柔らかな感じのフレームを得た。
【図面の簡単な説明】
【図１】本発明の実施例１のフレームの形状
【図２】本発明の実施例１のフレームをパネルに貼り付ける様子
【図３】本発明の実施例１のフレームをパネルに巻きつけるように貼り付けた様子
【図４】本発明の実施例２のフレームの形状
【図５】本発明の実施例２のフレームをパネルに巻きつけるように貼り付けた様子
【符号の説明】
１　　プレスヌキしたフレーム
２　　スジ押し加工
３　　波型にプレス抜きした様子
４　　パネル
５　　コバが直線状のフレーム
６　　コバが波型のフレーム
【図１】
2004081724.tif 000003
【図２】
2004081724.tif 000004
【図３】
2004081724.tif 000005
【図４】
2004081724.tif 000006
【図５】
2004081724.tif 000007
(57)【要約】【課題】シーソー板の重力を反対方向への反転を助ける力として働かせ、又着地時には着地の衝撃を和らげる働きをさせた遊戯具シーソー【解決手段】シーソー板の重力を反対方向への反転を助ける力として働かせるにはシーソー板の重心は支点を挟んで子供の重心の反対側でなければならない。シーソー板の重心が支点を挟んで子供の重心の反対側であればシーソー板の重力を着地時の衝撃を和らげる力として働かせることが出来る。上記条件を満たすにはシーソー板が支点の下となる懸垂型のシーソーとなる。【選択図】　図１
2004081817.tif 000002
【特許請求の範囲】
【請求項１】
シーソー板の重力を反対方向への反転を助ける力として働かせまた着地時には着地の衝撃を和らげる力として働かせる為にシーソー板の重心３と乗った子供の重心２の間になる位置に支点１を設けた懸垂型となるシーソーで容易に反転出来また着地の衝撃を少なくした遊戯具シーソー。
【発明の詳細な説明】
【０００１】
【発明の属する技術分野】
シーソー板の重力を反対方向への反転を助ける力として働かせ、また着地時には着地の衝撃を和らげる力として働かせる様にして小さな子供でも容易に反転出来また着地の衝撃が少なくなる様にした遊戯具シーソーに関する。
【０００２】
【従来の技術】
従来のシーソーはシーソー板の下に支点があり重いシーソー板の重力は反対方向への反転を妨げる力として働く。
【０００３】
また重いシーソー板の重力は着地時には着地の衝撃を増大する力として働く。
【０００４】
その為シーソーの反対方向への反転が困難となり小さな子供では大人の介添えが必要となり又着地の衝撃も大きい。
【０００５】
【発明が解決しようとする課題】
小さな子供でも大人の介添無く容易に反転出来また安全なシーソーとする。
【０００６】
シーソー板の重力を反転時には反転を助ける力として働かせる。
【０００７】
シーソー板の重力を着地時には着地の衝撃を和らげる力として働かせる。
【０００８】
【課題を解決するための手段】
従来のシーソー板の下に支点があるシーソーではシーソー板の重力がシーソーの反転を妨げる力として働き又着地時には着地の衝撃を増大する力として働く。
【０００９】
支点の位置を上に上げて支点をシーソー板の重心と一致させればシーソー板の重力がシーソーの反転に及ぼす影響を無くする事が出来る。
【００１０】
更に支点の位置を上に上げてシーソー板の重心と乗った子供の重心との間に位置する様にする事でシーソー板の重力をシーソー板の反転を助ける力として働かせ又着地時には着地の衝撃を和らげる力として働かせる事が出来る。
【００１１】
シーソー板と乗った子供を合わせた全重心の位置より上に支点を上げるとシーソーの反転の動きが従来のシーソーの反転の動きとは異なり弥次郎兵衛の動きに似た動きとなる。
【００１２】
本発明の目的に添うのは支点の位置をシーソー板の重心の上方とした懸垂型となるシーソーでありシーソー板の重力がシーソー板の反転を助ける力として働き又着地時には着地の衝撃を和らげる力として働く位置に支点を設けたものでシーソー板の重心と全重心位置の間に支点を設けたものである。
【００１３】
【発明の実施の形態】
図を参照に本発明のシーソーと従来のシーソーとの動きの違いを説明する。
シーソー板の重心３、１３の位置はシーソー板５、１５の中央部に固定されたもので反転を始めるまでは移動する事はない。
【００１４】
一方子供の重心２、１２は身長や体重や乗る位置により異なるがシーソー板５、１５の中央部付近でシーソー板５、１５の上方１０ｃｍ程度の所に有る物と思われ反転をするための重心移動が出来る。
【００１５】
図３及び図４で従来のシーソーの動きについて説明する。
図３は従来のシーソーであり左傾斜の状態を示すがシーソー板の重心１３と子供の重心１２の位置は共に支点１１の左に位置する。
【００１６】
シーソー板の重心１３は支点１１より上にあり水平で重心位置が最も高くなり低い位置に移行するためシーソー板１５は水平には留まれずどちらかの端は着地する。
【００１７】
右側へ反転のため子供の重心１２を右側へ移動するが支点１１の真上を越えてもシーソー板の重心１３が左側に残る為に右側への反転は始まらない。
【００１８】
シーソーの重力による左回りのモーメントと子供の重力による右回りのモーメントのバランス点１４を越えてから初めて反転が始まる。
【００１９】
バランス点１４までの子供の右側への重心移動ではシーソー板の重力がはんてんを妨げ何の動きもする事はない。
【００２０】
子供の重心１２の移動がバランス点１４を越えて反転が始まりシーソー板が水平を越えるとシーソー板の重心１３は支点１１の右側に移動し右回りのモーメントを発生し動きは益々加速し激しく地面に着地する。
【００２１】
従来のシーソーはこの様に反転に多くの重心移動が必要な為に小さな子供では反転させることが困難であり大人の介添えが必要となり着地の衝撃が大きい為多人数で遊べる楽しい筈の乗り物でありながらあまり人気の無い乗り物になっている。
【００２２】
図１及び図２を参照に本発明のシーソーの動きを説明する。
図２は本発明のシーソーの左側傾斜の状態を示し子供の重心２とシーソー板の重心３位置は支点１を挟んで左右に位置する。
【００２３】
子供の重心２とシーソー板の重心３のバランス点４は既に左側に在る。
【００２４】
シーソー板の重心３は支点１の右側に在り反転の動きを助ける右回りのモーメントを発生している。
【００２５】
反転の為に子供の重心２を移動しバランス点４を越えると反転の動きが始まり又シーソー板の重力による右回りのモーメントは右反転の動きを助ける働きをする。
【００２６】
シーソーの反転が水平を過ぎるとシーソー板の重心３は支点１の左側に移動し左回りのモーメントを発生し着地の衝撃を和らげる働きをする。
【００２７】
この様に懸垂型のシーソーとする事で容易に反対方向への反転が出来又着地の衝撃の少ないシーソーが実現出来る。
【００２８】
またエアーダンパー６は着地の衝撃を更に緩和するものである。
【００２９】
シーソー板の重心３と支点１との距離は短くすれば反転の動きの切れを良くする事が出来るが反転を助ける力は少なくなる。
【００３０】
シーソーを動きという観点で捉える時、本発明のシーソーと従来のシーソーとは全く異なるシーソーであり小さな子供でも容易に反転出来て大人の介添えを必要とせず着地の衝撃の少ないシーソーである。
【００３１】
説明では右側への反転を説明したが左側への反転も同様である。
【図面の簡単な説明】
【図１】本発明の一実施例の懸垂型シーソーの側面図
【図２】図１の支点付近の拡大説明図（左に傾斜した状態）
【図３】従来のシーソーの側面図（左に傾斜した状態）
【図４】図３の支点付近の拡大説明図（左に傾斜した状態）
【符号の説明】
１、１１　　　支点
２、１２　　　子供の重心
３、１３　　　シーソー板の重心
４、１４　　　バランス点
５、１５　　　シーソー板
６　　　　　エアーダンパー
１６　　　　　ストッパー
【図１】
2004081817.tif 000003
【図２】
2004081817.tif 000004
【図３】
2004081817.tif 000005
【図４】
2004081817.tif 000006
(57)【要約】【課題】溶解が早く、しかも安定性のよい乳化剤で、飲料の製造に効率よく使用できるものを提供する。【解決手段】Ａ）平均重合度８以上のポリグリセリン脂肪酸エステル、Ｂ）ＨＬＢ値６以上のソルビタン脂肪酸エステル及びＣ）ＨＬＢ値６以上のショ糖脂肪酸エステルを併含したものを飲料用乳化剤とする。前記Ａ）Ｂ）Ｃ）成分の併用割合は、Ａ）成分が３０〜７０重量％、Ｂ）成分が１０〜５０重量％、Ｃ）成分が５〜３０重量％であるのが好ましい。この乳化剤は、特にスープ飲料の製造に適する。【選択図】　なし【特許請求の範囲】
【請求項１】
Ａ）平均重合度８以上のポリグリセリン脂肪酸エステル、Ｂ）ＨＬＢ値６以上のソルビタン脂肪酸エステル及びＣ）ＨＬＢ値６以上のショ糖脂肪酸エステルを含むことを特徴とする飲料用乳化剤。
【請求項２】
Ａ）成分が３０〜７０重量％、Ｂ）成分が１０〜５０重量％、Ｃ）成分が５〜３０重量％である請求項１記載の飲料用乳化剤。
【請求項３】
スープ用である請求項１又は２記載の飲料用乳化剤。
【発明の詳細な説明】
【０００１】
【発明の属する技術分野】
本発明は、飲料用乳化剤に関するものである。
【０００２】
【従来の技術】
現在飲料用に使用されている乳化剤は、水又は油に加熱溶解してから使用することが多く、時間とコストを要する。また、易溶性の乳化剤もあるが、乳化性能が十分でなかったり、高価であるなどの問題点がある。
そこで、グリセリン脂肪酸エステル、ソルビタン脂肪酸エステル、ショ糖脂肪酸エステルを組み合わせて、コーヒー分散や乳脂肪分の浮上、凝集防止に効果のある乳化剤を得る試みがなされている（特開昭６３−２２６２６６号公報、特開平６−１２５７０６号公報等）。しかし、これらは、安定性は良好であるが、使用時、加熱溶解に時間を要するという欠点があった。
【０００３】
【発明が解決しようとする課題】
本発明は、溶解が早く、しかも安定性のよい乳化剤で、飲料の製造に効率よく使用できるものを提供することを課題とする。
【０００４】
【課題を解決するための手段】
本発明者等は、Ａ）平均重合度８以上のポリグリセリン脂肪酸エステル、Ｂ）ＨＬＢ値６以上のソルビタン脂肪酸エステル及びＣ）ＨＬＢ値６以上のショ糖脂肪酸エステルを併含したものを飲料用乳化剤とすることにより、上記課題を効果的に解決した。
【０００５】
なお、Ａ）成分のポリグリセリン脂肪酸エステルの平均重合度は８以上、１２以下であるのが好ましい。また、前記Ａ）Ｂ）Ｃ）各成分の併用割合は特に限定されないが、Ａ）成分が３０〜７０重量％、Ｂ）成分が１０〜５０重量％、Ｃ）成分が５〜３０重量％であるのが好ましく、他に抗菌性のある乳化剤等、他の乳化剤及び安定剤を併用してもよい。
【０００６】
本発明の乳化剤は、スープ用の乳化剤として、長時間にわたり、保存安定性が良好であり、非常に有用である。
【０００７】
【発明の実施の形態】
次に、本発明の実施例および比較例を挙げるが、本発明はこれによって限定されるものではない。
実施例１〜３、比較例１〜３
表１の処方に従って乳化剤を得た。なお、表中の各成分量は重量部を示す。
【０００８】
【表１】
2004081002.tif 000002
【０００９】
使用例１
〔コーンスープ〕
つぎの処方でコーンスープを調製し本発明の効果を確認した。
１）配合
2004081002.tif 000003
２）調製方法
乳化剤及び澱粉を水に溶解させたものを準備し、これに、コーンペーストに牛乳、生クリーム及び調味料を溶解させたものを加え、ｐＨ７．５に調整し、ホモミキサーにて攪拌混合（７０℃、８０００ｒｐｍ×５分）して乳化物を得た。これを容器に充填後、殺菌（８５℃×５ｍｉｎ　）した後、冷却してコーンスープとした。
【００１０】
乳化剤の溶解性、及びコーンスープの保存安定性を下記の方法で評価し、その結果を表２に示す。
溶解性試験：
７５℃の水に、攪拌しながら、乳化剤を０．１％となるように添加し、１０分間攪拌した後、ビーカーの底の様子、及び液の溶解の様子を観察した。
＜評価方法＞
．　　　◎　完全に溶解
．　　　○　時間延長により完全に溶解
．　　　△　時間延長しても不溶物が少しある
．　　　×　時間延長しても不溶物が多い
保存安定性試験：
６０℃に保存し、離油を評価した。
＜評価方法＞
．　　　○　離油なし
．　　　△　少し離油あり
．　　　×　離油が多い
【００１１】
【表２】
2004081002.tif 000004
【００１２】
〔コーヒー乳飲料〕
つぎの手順でコーヒー乳飲料を調製し本発明の効果を確認した。
１）配合
2004081002.tif 000005
２）調製方法
水に乳化剤、コーヒー抽出液、牛乳、砂糖、重曹を添加し、６５℃に加温し、ホモミキサーにて攪拌混合（１０，０００ｒｐｍ×５分）して乳化物を得た。これを容器に充填後、オートクレーブにて殺菌（１２０℃×２０分）後、５℃に冷却してコーヒー乳飲料を調製した。
【００１３】
〔ミルクティー〕
つぎの手順でミルクティーを調製し本発明の効果を確認した。
１）配合
2004081002.tif 000006
２）調製方法
水に乳化安定剤、紅茶抽出液、牛乳、砂糖、重曹を添加し、６５℃に加温し、ホモミキサーにて攪拌混合（１０，０００ｒｐｍ×５分）して乳化物を得た。これを容器に充填後、レトルト殺菌（１２０℃×２０分）後、５℃に冷却してミルクティーを調製した。
【００１４】
上記の方法にて調製したコーヒー乳飲料及びミルクティーを２５℃で保存し、安定性を評価した。その結果を表３及び表４に示す。
＜評価方法＞
．　　　○　オイルリングなし
．　　　△　オイルリング少しあり
．　　　×　オイルリング多い
なお、乳化剤の溶解性試験は、前記同様に実施した。
【００１５】
【表３】
2004081002.tif 000007
【００１６】
【表４】
2004081002.tif 000008
【００１７】
実施例１〜３の乳化剤は、溶解性に優れ、乳化安定性のよいものであるので、非常に品質のよいスープ、コーヒー乳飲料及びミルクティーを安定して製造できた。しかし、重合度の少ないポリグリセリン脂肪酸エステルを使用した場合には、比較例に示す如く、溶解性が悪く、保存安定性のよい製品を得ることができなかった。
【００１８】
【発明の効果】
本発明による乳化剤は、溶解性に優れ、保存安定性のよい、スープやコーヒー等の飲料を非常に品質よく製造できる。
(57)【要約】【課題】高周波ＰＳＫ変調時の９０度位相差を生成するのに必要なデュティー比を５０％にするための分周回路を提供する。【解決手段】各種電子回路の動作タイミングを発生するための基準信号となる入力クロックを一方の入力信号とする掛算回路とその掛算回路の出力を新たなクロック入力とする２分周回路とし、その分周回路をデータ信号とする。ここでデータ信号を前記入力クロックでタイミングを決定するフリップフロップ回路を備え、そのフリップフロップ回路の出力を前出の掛算回路の他方の入力信号とし、そのフリップフロップ回路から分周信号を得るようにした。【選択図】　図１
2004023599.tif 000002
【特許請求の範囲】
【請求項１】
各種電子回路の動作タイミングを発生するための基準信号となる入力クロックに対して、その周波数を３分周して前記入力クロックに基づく分周信号を出力する回路であって、前記入力クロックを一方の入力信号とする掛算回路とその掛算回路の出力をクロック入力とする２分周回路とその分周回路をデータ信号とし、そのデータ信号を前記入力クロックでタイミングを決定するフリップフロップ回路を備え、そのフリップフロップ回路の出力を前出の掛算回路の他方の入力信号とすることを特徴とした分周回路。
【請求項２】
各種電子回路の動作タイミングを発生するための基準信号となる入力クロックに対して、その周波数を６分周して前記入力クロックに基づく分周信号を出力する回路であって、前記入力クロックを２分周する回路とその出力を一方の入力信号とする掛算回路とその掛算回路の出力をクロック入力とする２分周回路とその分周回路をデータ信号とし、そのデータ信号を前記入力クロックでタイミングを決定するフリップフロップ回路を備え、そのフリップフロップ回路の出力を前出の掛算回路の他方の入力信号とすることを特徴とした分周回路。
【発明の詳細な説明】
【０００１】
【発明の属する技術分野】
本発明は比較的に高周波ＰＳＫ変調時の９０度位相差を生成するのに必要なデュティー比を５０％にするための分周回路に関するものである。
【０００２】
【従来の技術】
図４は従来の３分周回路の構成を示す回路図であり、図４に示す回路の動作を表すタイミングチャートを図５に示す。図４においてフリップフロップ回路のＱ出力を入力に帰還することで２分周回路を構成し、そのＱ出力とそれを入力とするインバータ回路の出力で２相クロックを生成している。そして、出力信号ｍのレベル変化に応答して選択的に出力する信号選択回路と、出力信号ｍのレベル変化を信号選択回路の出力信号ｄにより決定するタイミングゲートとを備え、出力信号ｍを分周信号としている。
【０００３】
【発明が解決しようとする課題】
図４に示した３分周回路の従来例においては、入力クロックＸＩＮを２分周回路により周波数を１／２にして高速動作を実現しているが、その２分周回路の出力端においてインバータを用いて２相のクロックを生成するため、信号選択回路によって選択された信号にインバータの動作遅延時間による位相差が生じてしまう。
【０００４】
更に、従来回路例では信号選択回路に多くの電子回路を必要とする。
【０００５】
したがって、本発明の目的はより少ない電子回路によって、位相差の無いクロックを用いて、分周出力を提供することである。
【０００６】
【課題を解決するための手段】
上記の課題を解決するために本発明の３／６分周回路は１．５分周するタイミングを１つの位相（Ｉｎｐｕｔ若しくはＡ信号）によって生成し、それは各々の信号のタイミングでラッチされたフリップフロップの出力とそれ自身の掛算で実現することができ、わずか掛算回路のみによって構成しうる。
【０００７】
【発明の実施の形態】
本発明の請求項１記載の分周回路は、各種電子回路の動作タイミングを発生するための基準信号となる入力クロックに対して、その周波数を３分周して前記入力クロックに基づく分周信号をデュティー比５０％で出力する回路であって、前記入力クロックを一方の入力信号とする掛算回路とその掛算回路の出力をクロック入力とする２分周回路とその分周回路をデータ信号とし、そのデータ信号を前記入力クロックでタイミングを決定するフリップフロップ回路を備え、そのフリップフロップ回路の出力を前出の掛算回路の他方の入力信号とし、そのフリップフロップ回路から分周信号を得るようにした構成とする。
【０００８】
本発明の請求項２記載の分周回路は、各種電子回路の動作タイミングを発生するための基準信号となる入力クロックに対して、その周波数を６分周して前記入力クロックに基づく分周信号をデュティー比５０％で出力する回路で、この実施の形態によると入力クロックをあらかじめ２分周しているので、第１の実施の形態にくらべ、より高い周波数で安定した動作が得られる。
【０００９】
【発明の効果】
一般的に高周波特性がＣＭＯＳ素子よりも優れているＢｉｐｏｌａｒ素子によって容易に構成し得るフリップフロップ回路と掛算回路にて実現し、初段で２分周する事でそれ以降の動作周波数を半減している。更に、掛算回路の入力信号は同じ周波数で動作しているフリップフロップの出力信号を用いているので掛算回路の安定動作を実現し、掛算回路の出力は２分周回路の入力クロックとしているのでその信号のＨ／Ｌ期間にノイズが存在しても２分周回路のクロックは立上りに意味があるのでノイズに強い。
【００１０】
これにより、奇数（ｎ＝３／３×２）分周の高速化を実現できる。
【図面の簡単な説明】
【図１】本発明の第１の実施の形態の３分周回路の構成を示す回路図
【図２】本発明の第２の実施の形態の６分周回路の構成を示す回路図
【図３】図１，２の分周回路のタイミングチャート
【図４】従来の３分周回路の構成を示す回路図
【図５】図４の分周回路のタイミングチャート
【図１】
2004023599.tif 000003
【図２】
2004023599.tif 000004
【図３】
2004023599.tif 000005
【図４】
2004023599.tif 000006
【図５】
2004023599.tif 000007
(57)【要約】　　　（修正有）【課題】フェーシングに対し高速かつ確実に対応する簡易なスペースダイバシティ装置を提供する。【解決手段】高周波信号を、空中線１１，２１で受信し、乗算器３１に加える。高周波信号が同相なら乗算器３１ｃには正、逆相なら負の電圧が現れる。乗算器３３ｂの電圧が正であれば、空中線１１の高周波信号はそのまま、加算器３４に加えられ空中線１１，２１の高周波信号の和が３４ｃから出力される。一方、乗算器３３ｂの電圧が負であれば、空中線１１の高周波信号の位相は反転し、加算器３４に加えられ空中線１１，２１の高周波信号の和が３４ｃから出力される。【選択図】図１
2004023776.tif 000002
【特許請求の範囲】
【請求項１】
スペースダイパシティ装置入力信号同士の位相を制御し、入力信号同士が差とならないように、入力信号同士を合成する装置
【発明の詳細な説明】
【０００１】
【発明の属する技術分野】
本発明は、無線通信におけるスペースダイパシティ装置に関する。
【０００２】
【従来の技術】
従来のスペースダイパシティ装置は、複数の空中線系の、電界の可否、信号の可否により、空中線系を選択するものであった。
フエージングに追従するため、受信機を含む系を構成し、復調された信号を判定し、系を切り替えたもので、装置が大変高価なものになった。
【０００３】
【発明が解決しようとする課題】
フエージングに対し高速かつ確実に対応する、簡易な装置を提供する。
【０００４】
【課題を解決するための手段】
本発明は、該装置入力信号同士の位相を監視し、常に該装置入力信号同士が差とならないように、位相制御し合成するものである。
【０００５】
【作用】
添付図面で、図１は、本発明の基本動作である。
高周波信号を、空中線１１，２１で受信し、乗算器３１に加える。
高周波信号が同相なら乗算器３１ｃには正、逆相なら負の電圧が現れる。
乗算器３３ｂの電圧が正であれば、空中線１１の高周波信号はそのまま、加算器３４に加えられ空中線１１，２１の高周波信号の和が３４ｃから出力される。
一方、乗算器３３ｂの電圧が負であれば、空中線１１の高周波信号の位相は反転し、加算器３４に加えられ空中線１１，２１の高周波信号の和が３４ｃから出力される。
【０００６】
【実施例】
添付図面で、図２は、本発明の実施例である。
通信周波数ｆ０で動作中、ｆ０より振幅の大きなｆ１が存在すると、位相判定をｆ１で行うことになる。従って、ｆ０では、誤動作することになる。
これを防止するため、フィルタ効果によりｆ１を除去する。
ここでＢＰＦをｆｉとする。
Ｆ０−ＬＯ＝ｆｉ
帯域Ｂ／２＝ｆｂとすれば
乗算器３１には、ｆ０±ｆｂ以外の周波数は、入力されず混信妨害を受けない。
【０００７】
【発明の効果】
本発明によれば、簡易な装置で信頼性の高いスペースダイパシティ装置を提供でき、周波数の有効利用に寄与する。
【図面の簡単な説明】
【図１】本発明の基本構成図
【図２】本発明実施例の構成図
【図１】
2004023776.tif 000003
【図２】
2004023776.tif 000004